(57)【要約】      （修正有）【課題】力の弱い年寄や女性でも、地上にいながら打撃槌を用いて繰り返し半鐘を打ち鳴らすことが可能でありしかも火の見やぐらへの設置が容易な半鐘叩き装置を提供する。【解決手段】地上にいて操作ワイヤー１０を引くだけで回転体６が付勢部材１１の付勢に抗して回転して回転体６に固定された打撃槌９が回転して半鐘２を打ち鳴らすことができ、操作ワイヤー１０を引くのをやめると半鐘２を打撃した打撃槌９は付勢部材１１の付勢により回転体６を逆回転させて待機位置へ戻る。【選択図】図１
0003199226.tif 000002
【実用新案登録請求の範囲】
【請求項１】
火の見やぐらの上部に吊り下げられた半鐘を、地上にいながら打撃槌で繰り返し叩くことが可能な半鐘叩き装置であって、
前記火の見やぐらの上部足場に前記半鐘に対して近接して固定される支持台と、
前記支持台に起立形成された一対の支持フレームに回転軸を中心に回転可能に軸支された回転体と、
前記回転体の頂部近傍に打撃アームが固定され、当該打撃アームの先端部に槌が設けられた前記打撃槌と、
前記回転体の前記支持フレームとの交差位置と前記打撃槌が組み付けられた槌固定位置との間で当該回転体に一端が連結され、他端は前記火の見やぐらの上部足場を経て地上まで延設された引っ張り操作部と、
前記回転体の前記支持フレームとの交差位置と前記槌固定位置との間であって前記引っ張り操作部連結部とは反対側で前記回転体に一端が連結され、他端は前記支持台に連結され、前記打撃槌を前記半鐘より離間した待機位置に待機するように前記回転体を付勢する付勢部材と、
前記回転体の前記付勢部材連結位置と前記支持フレームとの交差位置との間で前記回転体に設けられ、前記回転体の待機位置より後退する向きの回転を規制する回転規制部材と、を備えたことを特徴とする半鐘叩き装置。
【請求項２】
前記支持台には前記支持フレームを支える支柱と、前記支柱と交差して回転軸方向に延設され前記上部足場に固定される支持脚と、前記上部足場に固定され前記付勢部材が連結される連結部とを備え、前記支柱と前記連結部とが複数の梁で連結位置を可変に連結されたトラス構造を有する請求項１記載の半鐘叩き装置。
【請求項３】
前記回転体の外周には凹溝が周回して形成されており、当該凹溝に操作ワイヤーが連結されており、前記操作ワイヤーは前記凹溝に沿って引かれて前記支柱に設けられたガイド部材に案内されて前記火の見やぐらの上部足場を経て地上まで延設される請求項２記載の半鐘叩き装置。
【請求項４】
前記打撃槌は、前記打撃アームの中途部が前記回転体の外周面に接した状態で固定されている請求項１乃至請求項３のいずれか１項記載の半鐘叩き装置。
【請求項５】
前記付勢部材は、弾性部材であり、前記回転体が前記回転規制部材により回転規制され前記打撃槌が待機位置に留まるように付勢している請求項１乃至請求項４のいずれか１項記載の半鐘叩き装置。
【請求項６】
前記支持台は自転車のハンドルが用いられ、前記回転体は前記支持フレームに支持された前輪が用いられる請求項１乃至請求項５のいずれか１項記載の半鐘叩き装置。
【考案の詳細な説明】
【技術分野】
【０００１】
本考案は、例えば地上にいながら、火の見やぐらに吊り下げられた半鐘を繰り返し叩くことができる半鐘叩き装置に関する。
【背景技術】
【０００２】
火の見やぐらに吊り下げられる半鐘は、消防団員の火災報知のみならず日ごろから火災防止のための啓発として打ち鳴らされることが多い。
消防団員の多くは給与所得者であり、平日の昼間は、会社に勤務している場合が多く、地域集落には高齢者が多いのが現状である。また、過疎化した地域では、消防団員の数も限られ、火災を発見し報知するため、火の見やぐらに上って半鐘を打ち鳴らすことが困難な場合が多い。特に、梯子が凍結した冬季、強風や大雨が降る天候、照明が不足した夜間等、季節や昼夜天候を問わず、半鐘を打ち鳴らす必要があるため高所である火の見やぐらに上るのは、消防団員のみならず地域に暮らす住民にとっては負担が大きい。
【０００３】
かかる負担を軽減すべく地上にいながら半鐘を叩く半鐘打撃装置として、以下の文献が存在する。即ち、火の見やぐらの上部の吊り桟に設けられた梁体に、ハンマー、重りが回転軸に軸着されると共に、回転桿及び押圧回動部を回転軸に軸着されている。回転桿に連結したロープを火の見やぐらの鉛直下方に垂下させ、このロープを引っ張ることで回転桿をストッパに当たるまで回転させ、このとき押圧回動部がハンマーを押圧することでハンマーを回転させて半鐘を打撃して鐘を鳴らす。また、ロープの引っ張りを緩めるとハンマーは半鐘打撃の反動と重りにより反対方向に回転して重りがストッパに停止する位置まで戻る。このロープの引っ張り及び緩める動作を繰り返すことで半鐘を鳴らすようになっている（特許文献１）。
【先行技術文献】
【特許文献】
【０００４】
【特許文献１】特開２０１３−１２０３２５号公報
【考案の開示】
【考案が解決しようとする課題】
【０００５】
上述した半鐘打撃装置は、ハンマーのみならず重りも一体化させたものを、ロープにより回転桿を回転させて押圧回動部を介してハンマーを回転させるようになっているので、ロープを引く動作に重りの荷重まで含まれるため、ロープを引く操作が重く感じられるうえに、ハンマーを間接的に押圧して半鐘を打撃するため、押圧回動部とハンマー、ハンマーと半鐘のように二段階で負荷が大きくなるため操作感も悪いという課題がある。また、半鐘打撃装置は、火の見やぐらの上部の吊り桟に設けられた梁体に片持ち状に設けられるため、火の見やぐらの構造に応じて専用の組み付け構造を採用しなければならず、据え付けが容易でない。
【０００６】
本考案はこれらの課題を解決するためになされたものであり、その目的とするところは、力の弱い年寄や女性でも、地上にいながら打撃槌を用いて繰り返し半鐘を鳴らすことが可能でありしかも火の見やぐらへの設置が容易に行える半鐘叩き装置を提供することにある。
【課題を解決するための手段】
【０００７】
上記目的を達成するため、本考案に係る半鐘叩き装置は、以下の構成を備える。
火の見やぐらの上部に吊り下げられた半鐘を、地上にいながら打撃槌で繰り返し叩くことが可能な半鐘叩き装置であって、前記火の見やぐらの上部足場に前記半鐘に対して近接して固定される支持台と、前記支持台に起立形成された一対の支持フレームに回転軸を中心に回転可能に軸支された回転体と、前記回転体の頂部近傍に打撃アームが固定され、当該打撃アームの先端部に槌が設けられた前記打撃槌と、前記回転体の前記支持フレームとの交差位置と前記打撃槌が組み付けられた槌固定位置との間で当該回転体に一端が連結され、他端は前記火の見やぐらの上部足場を経て地上まで延設された引っ張り操作部と、前記回転体の前記支持フレームとの交差位置と前記槌固定位置との間であって前記引っ張り操作部連結部とは反対側で前記回転体に一端が連結され、他端は前記支持台に連結され、前記打撃槌を前記半鐘より離間した待機位置に待機するように前記回転体を付勢する付勢部材と、前記回転体の前記付勢部材連結位置と前記支持フレームとの交差位置との間で前記回転体に設けられ、前記回転体の待機位置より後退する向きの回転を規制する回転規制部材と、を備えたことを特徴とする。
【０００８】
上記構成によれば、地上で引っ張り操作部を引っ張るだけで回転体が付勢部材の付勢に抗して回転して回転体に固定された打撃槌が回転して半鐘を打ち鳴らすことができ、引っ張り操作部の引っ張りをやめると半鐘を打撃した打撃槌は付勢部材の付勢により回転体を逆回転させて待機位置へ戻るので、力の弱い老人や女性でも、地上にいながら容易に回転体を回転させて回転体に組み付けられた打撃槌によって繰り返し半鐘を打ち鳴らすことができる。
【０００９】
前記支持台には前記支持フレームを支える支柱と、前記支柱と交差して回転軸方向に延設され前記上部足場に固定される支持脚と、前記上部足場に固定され前記付勢部材が連結される連結部とを備え、前記支柱と前記連結部とが複数の梁で連結位置を可変に連結されたトラス構造を有することが好ましい。
これにより、支持台を構成する支持脚と連結部をを火の見やぐらの上部足場に固定することで、半鐘叩き装置を設置することができ、いかなる火の見やぐらに対しても容易に設置することができる。また、打撃槌の待機位置を調整するため（付勢部材の付勢力を調整するため）支柱と連結部との連結位置を変更するのが好ましい。また、支柱に対して支持脚が交差配置され、支柱と連結部とが複数の梁により連結されたトラス構造を有するので支持台の支持構造が振動やゆれに強く、上部足場に安定した姿勢で設置することができる。
【００１０】
前記回転体の外周には凹溝が周回して形成されており、当該凹溝に操作ワイヤーが連結されており、前記操作ワイヤーは前記凹溝に沿って引かれて前記支柱に設けられたガイド部材に案内されて前記火の見やぐらの上部足場を経て地上まで延設されることが好ましい。
これにより、回転体に対して凹溝に沿って接線方向に引っ張り力が作用するため、操作ワイヤーを引くと、回転体をスムーズに回転させて打撃槌により半鐘を打ち鳴らすことができる。特に回転体の回転半径が大きい場合には、小さな引っ張り力で回転体を回転させて打撃槌により半鐘を打ち鳴らすことができる。また、凹溝に沿って操作ワイヤーが案内されるので、引っ張り力を効率良く回転体に作用させることができる。
【００１１】
前記打撃槌は、前記打撃アームの中途部が前記回転体の外周面に接した状態で固定されていることが好ましい。
これにより、打撃槌が半鐘を打撃した際の衝撃を打撃アームの両端へ振動として逃がして、回転体に伝わり難くすることができる。
【００１２】
前記付勢部材は、弾性部材であり、前記回転体が前記回転規制部材により回転規制され前記打撃槌が待機位置に留まるように付勢していることが望ましい。
これにより、付勢部材は、打撃槌が待機位置に留まるように回転体を付勢するので、半鐘を打撃方向に回転させた回転体を待機位置へ戻して繰り返し打撃動作を行うことができる。また、回転体が待機位置へ戻る際に過剰となる回転体の逆回転を回転機規制部材により回転規制するので、打撃槌を待機位置に確実に戻すことができる。
【００１３】
前記支持台は自転車のハンドルが用いられ、前記回転体は前記支持フレームに支持された前輪が用いられるようにしてもよい。この場合、例えば廃棄される自転車の部品を再利用して、安価に製造することができる。
【考案の効果】
【００１４】
本考案によれば、力の弱い老人や女性でも、地上にいながら打撃槌を用いて繰り返し半鐘を鳴らすことが可能でありしかも上部足場に容易に設置することができる半鐘叩き装置を提供することができる。
【図面の簡単な説明】
【００１５】
【図１】半鐘叩き装置の打撃槌が待機位置を示す説明図である。
【図２】半鐘叩き装置の打撃槌が打撃位置を示す説明図である。
【図３】打撃槌の回転体に対する組み付け構成例を示す説明図である。
【考案を実施するための形態】
【００１６】
本考案に係る半鐘叩き装置の一実施形態について図１乃至図３を参照して説明する。先ず、半鐘叩き装置の概略構成について図１を参照して説明する。半鐘叩き装置１は、火の見やぐらの上部に吊り下げられた半鐘２を、地上にいながら打撃槌で繰り返し叩くことが可能な装置である。
【００１７】
図１において、図示しない火の見やぐらの上部足場には支持台３が半鐘１に対して近接して固定される。支持台３には一対の支持フレーム４を支える支柱５と、支柱５に交差（直交）して回転軸方向に延設され火の見やぐらの上部足場に固定される支持脚６と、火の見やぐらの上部足場に固定され後述する付勢部材が連結される連結部７とを備えている。支柱５と連結部７との間には２本の梁８（例えばＬ型アングル材）が連結位置を可変に連結されており、トラス構造を有する。２本の梁８には各々長穴が形成されており、連結部７に設けられた複数のねじ孔７ａと位置合わせしてねじ止めすることで連結位置を調整することができる。このように、後述する打撃槌９の待機位置を調整するため（付勢部材の付勢力を調整するため）２本の梁８による支柱５と連結部７との連結位置を変更するのが好ましい。
【００１８】
上述した支持脚６及び連結部７は火の見やぐらの上部足場、例えば金属製でスリットが形成された床板部にワイヤー或いはねじ止めなどで固定することで、半鐘叩き装置を１設置することができる。このように半鐘叩き装置は、いかなる形態の火の見やぐらに対しても容易に設置することができる。また、支柱５に対して支持脚６が交差配置され、支柱５と連結部７とが梁８によりトラス構造を有するので支持台３の支持構造が振動やゆれに強く、上部足場に安定した姿勢で設置することができる。
【００１９】
支持台３に起立形成された一対の支持フレーム４に回転軸５を中心として回転体６が回転可能に軸支されている。回転体６には打撃槌９が固定されている。回転体６の頂部近傍に打撃アーム９ａが固定され、当該打撃アーム９ａの先端部に槌９ｂが一体に設けられている。打撃槌９は、打撃アーム９ａの中途部が回転体６の外周面に接した状態で固定されている。
【００２０】
打撃槌９の一例について説明すると、図３に示すように、打撃アーム９ａは中空角材が用いられ一端開口より槌９ｂの柄９ｃが挿入されて例えば木材に挟まれて固定されている。コ字状をしたねじ軸９ｄを打撃アーム９ａを貫通させて組み付け、回転体６の径方向内側に向かって延設された両側ねじ軸９ｄに、ナット９ｅ及びワッシャー９ｆを嵌め込んで回転体６の内外周に設けた緩衝材９ｇに重ね合せる。そして、ねじ軸９ｄにねじ嵌合するナット９ｅを回転体６の内外より挟み込むように各々締め上げて組み付けられる。
【００２１】
また、打撃アーム９ａの槌９ｂが固定された反対側部は、回転体６より離間しており、コ字状をしたねじ軸９ｈと回転体６とで囲まれた空間部に配置されている。ねじ軸９ｈは、ねじ軸９ｄと同様に回転体６に対して固定されている。即ち、回転体６を跨ぐ両側ねじ軸９ｈにナット９ｉ、ワッシャー９ｊを嵌め込んで回転体６の内外周に設けた緩衝材９ｋに重ね合わせる。そして、ねじ軸９ｈにねじ嵌合するナット９ｉを回転体６の内外より挟み込むように締め上げて組み付けられる。これにより、打撃槌９が半鐘２を打撃した際の衝撃を槌９ｂが組み付けられた打撃アーム９ａの反対側端部へ振動として逃がして、回転体６に伝わり難くすることができる。
【００２２】
回転体６には、操作ワイヤー１０（引っ張り操作部）の一端が連結されている。具体的には、回転体６の支持フレーム４との交差位置（最下位置）と打撃槌９が組み付けられた槌固定位置との間であって、打撃アーム９ａの端部近傍に操作ワイヤー１０の一端が固定されている。回転体６の外周には、凹溝６ａが周回して形成されている。操作ワイヤー１０の他端は、回転体６の凹溝６ａに沿って支柱５に設けられたガイド部材５ａに案内されて火の見やぐらの上部足場を経て地上まで延設されている。操作ワイヤー１０の他端部には、操作性を高めるため、例えば樹脂製パイプに紐を通した吊り輪状の取手１０ａを設けることが好ましい。
【００２３】
これにより、地上にいる使用者は、取手１０ａを握って操作ワイヤー１０を引っ張るだけで回転体６に対して凹溝６ａに沿って接線方向に引っ張り力が作用するため、回転体６をスムーズに回転させて打撃槌９により半鐘２を打ち鳴らすことができる。特に回転体６の回転半径が大きい場合には、小さな引っ張り力で回転体６を回転させて打撃槌９により半鐘２を打ち鳴らすことができる。また、凹溝６ａに沿って操作ワイヤー１０が案内されるので、引っ張り力を効率良く回転体６に作用させることができる。
【００２４】
また、回転体６と連結部７とは弾性部材１１（付勢部材）によって連結されている。具体的には、回転体６の支持フレーム４との交差位置（最下位置）と打撃槌９が組み付けられた槌固定位置との間であって操作ワイヤー連結部と反対側には、弾性部材１１の一端が治具１１ａを介して連結され、他端は連結部７に継手などの連結部材７ｂを介して連結されている。弾性部材１１は打撃槌９を半鐘２より離間した待機位置に待機するように付勢する。弾性部材１１としては、例えば結束用のゴムバンド等が好適に用いられる。これにより、弾性部材１１は、回転体６が待機位置に留まるように付勢するので、操作ワイヤー１０を引っ張ることで回転体６を打撃方向（例えば反時計回り方向）に回転させても、引っ張るのをやめると逆方向（例えば時計回り方向）に回転して待機位置へ戻すことができ、半鐘２を繰り返し打撃することができる。
【００２５】
また、回転体６の弾性部材連結位置と支持フレーム４との交差位置（最下位置）との間には、回転体６の待機位置より後退する向き（図１の時計回り方向）の回転を規制する回転規制部材１２（例えばゴム材等）が回転体６に設けられている。
この回転規制部材１２は、弾性部材１１により回転体６が待機位置へ戻る際に過剰となる回転体６の回転を回転規制部材１２が支持フレーム４に干渉することによって回転規制されるので、打撃槌９を常に待機位置に戻すことができる。
【００２６】
尚、図１に示すように、支持台３としては、例えば自転車（廃品）のハンドルが用いられ、回転体６は一対の支持フレーム４に支持された前輪（タイヤ部分を除去したもの）が用いられる。この場合、廃棄される自転車の部品を再利用して、半鐘叩き装置１を安価に製造することができる。
【００２７】
ここで、上述のように構成された半鐘叩き装置１の動作例について説明する。
図１は、地上にいる使用者が操作ワイヤー１０を操作する前の状態を示す。このとき、弾性部材１１は自然長に近い縮んだ状態にあり打撃槌９は、回転体６の頂上付近の待機位置に待機している。回転体６に外力が作用して反時計回り方向へ回転しても弾性部材１１により、待機位置に戻される。
【００２８】
図２は地上にいる使用者が取手１０ａを握って操作ワイヤー１０を引っ張った状態を示す。これにより、回転体６は操作ワイヤー１０の連結部において反時計回り方向に張力が作用するため、弾性部材１１の引っ張り力に抗して反時計回り方向に回転する。このとき、打撃槌９も同方向に回転して半鐘２を打ち鳴らすことができる。尚、回転体６の回転半径が大きいほど、操作ワイヤー１０を引く力が弱くても回転体６が回転するため、力が弱い年寄りや女性でも半鐘２を打ち鳴らすことができる。
【００２９】
操作ワイヤー１０の引っ張り動作をやめると、弾性部材１１のテンションが高まっていることから、回転体６を逆方向（反時計回り方向）に回転させて打撃槌９を待機位置まで戻すことができる。また、弾性部材１１の弾性力によって待機位置より後退する向き（例えば図２の時計回り方向）に回転体６が回転しようとしても、回転規制部材１２によって、同方向への回転が規制されるため、打撃槌９は待機位置で停止する。
【００３０】
上述した実施例では回転体６に操作ワイヤー１０を連結して操作ワイヤー１０を引っ張ることで回転させていたが、これに限らず、プーリーとベルト（タイミングベルト）、スプロケットホイールとチェーン等の他の組み合わせ等によりハンドルを回転させて回転体を回転させる等、他の構成を採用することも可能である。
【符号の説明】
【００３１】
１  半鐘叩き装置  ２  半鐘  ３  支持台  ４  支持フレーム  ５  支柱  ５ａガイド  部材  ５ｂ  支持脚  ６  回転体  ７  連結部  ７ａ  ねじ孔  ７ｂ，１１ａ  治具    ８  梁  ９  打撃槌  ９ａ  打撃アーム  ９ｂ  槌  ９ｃ  柄  ９ｄ，９ｈ  ねじ軸    ９ｅ，９ｉ  ナット  ９ｆ，９ｊ  ワッシャー  ９ｇ，９ｋ  緩衝材  １０  操作ワイ  ヤー  １０ａ  取手  １１  弾性部材  １２  回転規制部材
【図１】
0003199226.tif 000003
【図２】
0003199226.tif 000004
【図３】
0003199226.tif 000005